(57)【特許請求の範囲】
【請求項１】
履物の指先部外周に略々沿う湾曲形の直立状指先防護板と、該指先防護板の上方を覆う形状の覆い片とからなり、上記指先防護板の上端縁に複数の凹部を設けると共に、上記覆い片の前方縁には上記凹部に嵌入しうる複数の鍔部を設け、上記凹部に鍔部を嵌入させて指先防護板と覆い片とを一体化したことを特徴とする指先防護体。
【請求項２】
凹部内側又はこれと同一高さ位置の内側の一部又は全周に細幅の受け座を設けた指先防護板を用いることを特徴とする請求項１記載の指先防護体。
【請求項３】
前方縁と同一高さ位置の一部又は全周に細幅の係合座を設けた覆い片を用いることを特徴とする請求項１又は２記載の指先防護体。
【請求項４】
上方に膨出した形状に成形された覆い片を用いることを特徴とする請求項１ないし３記載の指先防護体。
【発明の詳細な説明】
【０００１】
【発明の属する技術分野】
本発明は、地下たびをはじめとする各種の作業用の履物において、履用者の足の指先を落下物等から保護するために取り付けて用いる指先防護体に関するものである。
【０００２】
【従来の技術】
地下たび等の作業用の履物に取り付けて用いる指先防護具としては、例えば図９に示されているように、硬質金属材を指先の上面部を覆う有底半円筒状に成形したものが用いられている。
しかしながらこのような指先防護具は、全体をかなりの厚さの板材を立体状に成形しなければならないため、製作に手間を要し、しかも単一の材料で製作するため、重量を軽減させたり、部分的に強度を増強させるようなことはできなかった。
【０００３】
この点を改善するために本出願人は、指先を保護し得る高さを有する硬質金属板を親指部や四指部の外周に沿った湾曲形状に形成した指先防護板を用いることについて既に提案している。（特開平８−８４６０１号公報参照。）
【０００４】
【発明が解決しようとする課題】
本発明は上記提案の指先防護板の特徴を生かしつつ、さらに改良を加え、指先の防護を確実にし、かつ容易に製作することのできる指先防護体を提供しようとするものである。
【０００５】
【課題を解決するための手段】
すなわち本発明は上記課題を達成するためになされたもので、その要旨とするところは、履物の指先部外周に略々沿う湾曲形の直立状指先防護板と、該指先防護板の上方を覆う形状の覆い片とからなり、上記指先防護板の上端縁に複数の凹部を設けると共に、上記覆い片の前方縁には上記凹部に嵌入しうる複数の鍔部を設け、上記凹部に鍔部を嵌入させて指先防護板と覆い片とを一体化したことを特徴とする指先防護体にある。
【０００６】
【発明の実施の形態】
以下、本発明の実施の形態を実施例として示す図面に基づいて説明する。
図１は、本発明を地下たびに適用する指先防護体の例を示すもので、それぞれ別体となった親指用指先防護体Ａ及び四指用指先防護体Ｂとからなっている。そしてこれらの指先防護体Ａ、Ｂは、履物の指先部外周に略々沿う湾曲形の直立状指先防護板１と、該指先防護板１の上方を覆う覆い片２とからなっている。
【０００７】
すなわち本発明の指先防護体Ａは、これを一体化する前の状態を示す図２に基づいて説明すると、この例の指先防護板１は、親指部外周に略々沿う湾曲形を呈しかつ直立状をなしており、この上端縁１Ａに６ヶ所の凹部１Ｂが設けられている。この指先防護板１は、上方から指先に加わる荷重を受け止める役割を果たすものであるため、十分な強度を備えた例えば金属板で構成されている。
【０００８】
一方覆い片２は、上記指先防護板１の上方を覆う形状を呈しており、この前方縁２Ａには上記６ヶ所の凹部１Ｂに嵌入しうる６ヶ所の鍔部２Ｂが設けられている。この覆い片２は、上記指先防護板１を地下たび等の履物に取り付けた際に、アッパーとの落差をなくして器物との引っ掛りを防ぎかつ塵埃の付着を防止し、しかも指先を保護するために取り付けるもので、指先防護板１より薄い金属板や合成樹脂板等で構成されている。
【０００９】
そして上記の指先防護板１と覆い片２とを、前者に設けた凹部１Ｂに後者に設けた鍔部２Ｂを嵌入させることによって一体化させて、図１の如き指先防護体Ａとするものである。一体化の方法は、凹部１Ｂと鍔部２Ｂを相互が強固に係合するように寸法精度よく設けておき、これを圧入することによって行うことができるが、この際に接着剤を併用することも可能である。
【００１０】
上記図２においては、地下たびに適用する場合の親指部の指先防護体Ａについて説明したが、四指部に用いる指先防護体Ｂの場合も、若干指先部の形状が異なるだけで、実質的には図２と同様である。なお、後述する図４の説明の場合も、これらの関係は同様であり、親指部の説明で代表させている。
【００１１】
上記の如くして得た指先防護体Ａ、Ｂを、地下たびに取りつけた例を示すのが図３及び図４である。すなわちこれらの例に用いている地下たびは、綿布で縫製されたアッパー３にゴム又は合成樹脂からなる接地底４が一体化されたものであるが、この例で用いている接地底４の指先部には指先部外周に略々沿って突片４Ａが連接されており、さらにこの外側には突片４Ａに平行する突出縁４Ｂが設けられている。
【００１２】
そして、本発明の指先防護体Ａは、その指先防護板１を接地底４に設けた突出縁４Ｂに載置しかつ突片４Ａに当接した状態で接合し、かつ必要に応じて覆い片２のアッパー３接合部も接着することによって、地下たびの指先に取り付けることができる。この際に、指先防護板１から突片４Ａに適宜のビスを打設して取り付けることもできる。
【００１３】
以上のようにして本発明の指先防護体Ａ、Ｂを地下たびに取り付けて使用するときには、落下物による荷重をもっぱら指先防護板１が受け止めて足指の損傷を防護し得ると共に、覆い片２の存在により、指先が包み込まれた状態にすることができ、この部分外側にアッパー３と落差が生じたり、引っ掛りを起こしたり、塵埃が付着することを防止することができる。しかも覆い片２は、薄い金属や合成樹脂で形成することが可能となるため、指先防護体Ａ、Ｂ全体の重量を軽減させることができると共に、いわゆる凹凸嵌合の構造となり、指先防護板１と覆い片２との一体化を確実になし得ることができる特徴がある。
【００１４】
図５は本発明の指先防護体Ｃを作業靴に適用した例を示すものであるが、この例の指先防護体Ｃは、上記図３の場合と異なり、指先に適合する単体で構成されている。
この例の場合も、作業靴の指先部外周に略々沿う湾曲状形の直立状指先防護板１と、該指先防護板１の上方を覆う覆い片２とから構成されており、これらには同様に指先防護板１の上端縁に複数の凹部を設けると共に、覆い片２の前方縁に前記凹部に嵌入しうる鍔部を設け、凹部に鍔部を嵌入することにより一体化した指先防護体Ｃが取付けられている。
【００１５】
図示は省略したが、図５における足指部分の断面状態はほぼ図４と同様になっており、アッパー５及び接地底６を利用して指先防護体Ｃを同様に取り付けている。
この例の場合も、地下たびに取り付けたと同様、指先を確実に防護することができ、しかも引っ掛りや塵埃の付着を防止することができ、指先防護体Ｃの軽量化を図ることもできる。
【００１６】
本発明に使用する指先防護板１は、指先を落下物から確実に防止し得るように、鉄やステンレスその他の合金で構成することが好もしいが、同様な強度を有するものであればＦＲＰ等の合成樹脂材料も使用し得る。
指先防護板１の高さとしては、指先を防護できてかつ履用中に邪魔にならない高さ、好ましくは１０〜２０ｍｍ程度とすることができ、その厚さは金属を用いた場合好ましくは１〜数ｍｍ程度にすることができる。なお、この上端縁１Ａに設ける凹部１Ｂは、用途にもよるが２〜１０ヶ所程度設けることができるが、できるだけ全周にわたり均一な箇所に設けることが好ましい。
【００１７】
又本発明の指先防護板１には、この上方に嵌入する覆い片２の一体化を一層確実にするため、図６（Ａ）、（Ｂ）に示すように凹部１Ｂ内側に同一高さで細幅の、鍔部２Ｂを受け止める受け座１Ｃを設けることもできる。これの例では、受け座１Ｃを凹部１Ｂの部分だけに設けているが、これを他の部分まであるいは全周にまで設けることもできる。凹部１Ｂ以外の部分に受け座１Ｃを設けた場合には、覆い片２の前方縁２Ａを受け止めることができる。
【００１８】
本発明に用いる覆い片２は、指先防護板１より高い強度は要求されないため、薄い鉄、ステンレス、アルミニウムあるいはその他の合金若しくはＦＲＰや各種の合成樹脂材料を使用することができる。
又指先防護板１の凹部１Ｂに嵌入させたときに、覆い片２の落ち込みを防止するために、図７（Ａ）、（Ｂ）に示すように前方縁２Ａと同じ高さ位置の一部又は全周に、細幅の係合座２Ｃを設けることもできる。これの例では、係合座２Ｃを鍔部２Ｂ付根以外の内側に設けているが、これを他の部分まであるいは全周にまで設けることもできる。同図（Ｂ）のように係合座２Ｃを設けるときは、前記図６（Ｂ）に示す受け座１Ｃを有する指先防護板１と併用することができ、両者の利点を生かすことができる。
【００１９】
又本発明の覆い片２は、図８に示すように上方に膨出した形状に成形して用いることもできる。このようにすると、指先防護体を履物の指先に取り付けた際に、アッパーの指先の形状に略々沿わせることもでき、成形による強度の向上と外観の向上が図れて好ましい。なお、この例では鍔部２Ｂ付近を部分的に平坦にし、他を膨出状に成形している。
【００２０】
なお本発明における指先防護板１の凹部１Ｂと、覆い片２の鍔部２Ｂとは、嵌入による一体化を確実にするため、両者の寸法精度を高めておいて、いわゆるかしめ等の加圧や圧入を行い、必要に応じて接着剤を併用することができるが、この係合を一層強固にするために、いわゆるアリ溝とアリホゾの構造にして、これを上方から又は側方から嵌め込んで強固に嵌入させることもできる。又覆い片２として金属材料を用いるときには、鍔部２Ｂを所定より若干長く設けておき、これを凹部１Ｂに嵌入する際にかしめと同時に折り曲げて一体化させることもできる。
【００２１】
【発明の効果】
本発明は以上詳述した如き構成からなるものであるから、指先防護板と覆い片とをいわゆる凹凸嵌合により強固かつ確実に一体化することができ、得られた指先防護体を履物に取り付けて用いるときには、指先を確実に防護でき、しかもその構成上指先防護板と覆い片とを役割に応じて適宜の材料から選択して構成させることができる特徴を有している。
【図面の簡単な説明】
【図１】本発明の一実施例を示す親指用及び四指用の指先防護体を示す斜視図である。
【図２】本発明の親指用指先防護体の一体化する前の状態を示す斜視図である。
【図３】図１に示す指先防護体を地下たびに取り付けた例を示す斜視図である。
【図４】図３のＩＶ−ＩＶ線の拡大断面図である。
【図５】本発明の指先防護体を作業靴に取り付けた例を示す斜視図である。
【図６】本発明の指先防護体の別の例を示す図面で、（Ａ）がその断面図、（Ｂ）がこれに用いている指先防護板の部分的な斜視図である。
【図７】本発明の指先防護体の別の例を示す図面で、（Ａ）がその断面図、（Ｂ）が覆い片を下面側から見た部分的な斜視図である。
【図８】本発明の指先防護体の別の例を示す断面図である。
【図９】地下たびに装着した従来の指先防護具を説明するための斜視図である。
【符号の説明】
Ａ、Ｂ、Ｃ          指先防護体
１                  指先防護板
１Ａ                上端縁
１Ｂ                凹部
２                  覆い片
２Ａ                前方縁
２Ｂ                鍔部
【図１】
0003994356.tif 000002
【図２】
0003994356.tif 000003
【図３】
0003994356.tif 000004
【図４】
0003994356.tif 000005
【図５】
0003994356.tif 000006
【図６】
0003994356.tif 000007
【図７】
0003994356.tif 000008
【図８】
0003994356.tif 000009
【図９】
0003994356.tif 000010